(57)【要約】【課題】高さ変動による読み取り画像への悪影響を抑制するとともに、スクラッチ傷の発生を抑制可能な画像読取装置及び当該画像読取装置を備える画像形成装置を提供する。【解決手段】読取部９の読取位置よりも搬送方向上流側であって上流側搬送ローラー８８ａよりも下流側には、用紙に接して搬送方向と直交する軸回りに回転する複数の上流回転部材（上流コロ１０１）が設けられ、読取部９の読取位置よりも搬送方向下流側であって下流側搬送ローラー８８ｂよりも上流側には、用紙に接して搬送方向と直交する軸回りに回転する下流回転部材（下流コロ１０２）が設けられ、上流回転部材及び下流回転部材は、用紙の搬送経路（読取部搬送経路Ｒ３）の一方の面側に設けられ、下流回転部材の個数は、上流回転部材の個数以下である。【選択図】図３
2015211315.tif 000002
【特許請求の範囲】
【請求項１】
搬送される用紙を一方の面側に押し付けて用紙上に形成された画像を読み取る読取部を備える画像読取装置において、
前記読取部の読取位置よりも搬送方向上流側であって上流側搬送ローラーよりも下流側には、用紙に接して前記搬送方向と直交する軸回りに回転する複数の上流回転部材が設けられ、
前記読取部の読取位置よりも搬送方向下流側であって下流側搬送ローラーよりも上流側には、用紙に接して前記搬送方向と直交する軸回りに回転する下流回転部材が設けられ、
前記上流回転部材及び前記下流回転部材は、前記用紙の搬送経路の前記一方の面側に設けられ、
前記下流回転部材の個数は、前記上流回転部材の個数以下であることを特徴とする画像読取装置。
【請求項２】
前記上流回転部材及び前記下流回転部材は、前記用紙の搬送経路の前記読取部が設けられていない面側に設けられていることを特徴とする請求項１に記載の画像読取装置。
【請求項３】
前記下流回転部材の個数は、前記上流回転部材の個数よりも少ないことを特徴とする請求項１又は２に記載の画像読取装置。
【請求項４】
前記上流回転部材は、２つ設けられ、
前記下流回転部材は、１つ設けられていることを特徴とする請求項１〜３のいずれか一項に記載の画像読取装置。
【請求項５】
前記下流回転部材は、複数設けられていることを特徴とする請求項１〜３のいずれか一項に記載の画像読取装置。
【請求項６】
前記上流回転部材及び前記下流回転部材は、前記用紙の主走査方向の位相が全て異なることを特徴とする請求項１〜５のいずれか一項に記載の画像読取装置。
【請求項７】
前記下流回転部材は、前記上流回転部材のうち前記主走査方向の両端に配置された上流回転部材の間に配置されることを特徴とする請求項１〜６のいずれか一項に記載の画像読取装置。
【請求項８】
前記用紙の搬送経路の前記読取部が設けられている面側であって、前記複数の上流回転部材及び前記下流回転部材と対向する位置に、前記搬送方向と直交する軸回りに回転可能な押圧部材が設けられていることを特徴とする請求項１〜７のいずれか一項に記載の画像読取装置。
【請求項９】
前記読取部よりも搬送方向上流側の搬送経路は、前記読取部の搬送経路と異なる搬送角度となるように設けられていることを特徴とする請求項１〜８のいずれか一項に記載の画像読取装置。
【請求項１０】
請求項１〜９のいずれか一項に記載の画像読取装置を備えることを特徴とする画像形成装置。
【発明の詳細な説明】
【技術分野】
【０００１】
本発明は、画像読取装置及び当該画像読取装置を備える画像形成装置に関する。
【背景技術】
【０００２】
従来、自動原稿搬送部により所定の搬送経路を搬送された原稿用紙上に形成された画像を読み取る読取部としてのスキャナー部や、画像形成部により用紙上に形成された画質調整用の基準画像を読み取る読取部を備えるシートスルー方式の画像読取装置が知られている。
シートスルー方式の画像読取装置では、画像読み取り時の用紙の高さ変動によって、読み取り画像にピッチムラ、倍率変動などの悪影響が発生する。そこで、用紙の高さを安定させて読み取り画像への悪影響を防止すべく、用紙を搬送経路上の基板に押し付ける構成が知られている。
上記構成の一例として、用紙が基板と密着してスキャンされるように、用紙を互い違いの弾性押さえ部材によって押し付ける技術が開示されている（例えば、特許文献１参照）。
【先行技術文献】
【特許文献】
【０００３】
【特許文献１】特開２００８−２９５０２１号公報
【発明の概要】
【発明が解決しようとする課題】
【０００４】
しかしながら、上記従来の技術では、画像読取装置により画像を読み取る際、用紙を搬送しながら搬送経路上の基板に押し付ける構成であるため、搬送経路上の基板との接触により用紙にスクラッチ傷が発生し易いという問題がある。
【０００５】
本発明は、高さ変動による読み取り画像への悪影響を抑制するとともに、スクラッチ傷の発生を抑制可能な画像読取装置及び当該画像読取装置を備える画像形成装置を提供することを目的とする。
【課題を解決するための手段】
【０００６】
請求項１に記載の発明は、上記目的を達成するためになされたものであり、
搬送される用紙を一方の面側に押し付けて用紙上に形成された画像を読み取る読取部を備える画像読取装置において、
前記読取部の読取位置よりも搬送方向上流側であって上流側搬送ローラーよりも下流側には、用紙に接して前記搬送方向と直交する軸回りに回転する複数の上流回転部材が設けられ、
前記読取部の読取位置よりも搬送方向下流側であって下流側搬送ローラーよりも上流側には、用紙に接して前記搬送方向と直交する軸回りに回転する下流回転部材が設けられ、
前記上流回転部材及び前記下流回転部材は、前記用紙の搬送経路の前記一方の面側に設けられ、
前記下流回転部材の個数は、前記上流回転部材の個数以下であることを特徴とする。
【０００７】
請求項２に記載の発明は、請求項１に記載の画像読取装置において、
前記上流回転部材及び前記下流回転部材は、前記用紙の搬送経路の前記読取部が設けられていない面側に設けられていることを特徴とする。
【０００８】
請求項３に記載の発明は、請求項１又は２に記載の画像読取装置において、
前記下流回転部材の個数は、前記上流回転部材の個数よりも少ないことを特徴とする。
【０００９】
請求項４に記載の発明は、請求項１〜３のいずれか一項に記載の画像読取装置において、
前記上流回転部材は、２つ設けられ、
前記下流回転部材は、１つ設けられていることを特徴とする。
【００１０】
請求項５に記載の発明は、請求項１〜３のいずれか一項に記載の画像読取装置において、
前記下流回転部材は、複数設けられていることを特徴とする。
【００１１】
請求項６に記載の発明は、請求項１〜５のいずれか一項に記載の画像読取装置において、
前記上流回転部材及び前記下流回転部材は、前記用紙の主走査方向の位相が全て異なることを特徴とする。
【００１２】
請求項７に記載の発明は、請求項１〜６のいずれか一項に記載の画像読取装置において、
前記下流回転部材は、前記上流回転部材のうち前記主走査方向の両端に配置された上流回転部材の間に配置されることを特徴とする。
【００１３】
請求項８に記載の発明は、請求項１〜７のいずれか一項に記載の画像読取装置において、
前記用紙の搬送経路の前記読取部が設けられている面側であって、前記複数の上流回転部材及び前記下流回転部材と対向する位置に、前記搬送方向と直交する軸回りに回転可能な押圧部材が設けられていることを特徴とする。
【００１４】
請求項９に記載の発明は、請求項１〜８のいずれか一項に記載の画像読取装置において、
前記読取部よりも搬送方向上流側の搬送経路は、前記読取部の搬送経路と異なる搬送角度となるように設けられていることを特徴とする。
【００１５】
請求項１０に記載の発明は、
画像形成装置において、
請求項１〜９のいずれか一項に記載の画像読取装置を備えることを特徴とする。
【発明の効果】
【００１６】
本発明によれば、高さ変動による読み取り画像への悪影響を抑制することができるとともに、スクラッチ傷の発生を抑制することができる。
【図面の簡単な説明】
【００１７】
【図１】本実施形態に係る画像形成装置の概略構成図である。
【図２】本体ユニットの機能ブロック図である。
【図３】読取部の構成を示す側面図である。
【図４】上流コロ及び下流コロの構成及び配置を示す平面図である。
【図５】押圧部材の構成及び配置を底面側からみた斜視図である。
【図６】図５のＥの領域の拡大図である。
【図７】変形例１に係る上流コロ及び下流コロの構成及び配置を示す平面図である。
【発明を実施するための形態】
【００１８】
以下に、本発明を実施するための最良の形態について、図面を用いて説明する。なお、以下の説明において、図１における左右方向をＸ方向とし、上下方向をＺ方向とし、Ｘ方向及びＺ方向に直交する方向、即ち、前後方向をＹ方向とする。
【００１９】
画像形成装置Ｇは、図１に示すように、プリントコントローラーｇ１、給紙ユニットｇ２、本体ユニットｇ３及び後処理装置ｇ４を備えている。
【００２０】
プリントコントローラーｇ１は、ネットワーク上のコンピューター端末からＰＤＬ（Page Description Language）データを受信し、当該ＰＤＬデータをラスタライズ処理してビットマップ形式の画像データを生成する。
プリントコントローラーｇ１は、Ｃ（シアン）、Ｍ（マジェンタ）、Ｙ（イエロー）及びＫ（黒）の色ごとに画像データを生成し、本体ユニットｇ３に出力する。
【００２１】
給紙ユニットｇ２は、大容量の給紙トレイを複数備えている。
給紙ユニットｇ２は、本体ユニットｇ３により指示された給紙トレイから本体ユニットｇ３へ用紙を搬送する。
【００２２】
本体ユニットｇ３は、操作部３、表示部４、自動原稿搬送部６１、スキャナー部６、画像形成部８、給紙トレイｇ３１、読取部９、矯正部１０等を備えている。
本体ユニットｇ３は、スキャナー部６により原稿用紙Ｄを読み取って得られた画像データ又はプリントコントローラーｇ１により生成された画像データに基づき、画像形成部８により用紙上に画像を形成する。本体ユニットｇ３は、画像形成された用紙を後処理装置ｇ４へ搬送する。
【００２３】
後処理装置ｇ４は、本体ユニットｇ３から搬送された用紙を後処理して排紙する。後処理としては、例えばステイプル処理、パンチ穴開け処理、折り処理、製本処理等が挙げられる。後処理は必須ではなく、後処理装置ｇ４は、本体ユニットｇ３から指示された場合のみ実行する。後処理が無い場合、後処理装置ｇ４は搬送された用紙をそのまま排紙する。
【００２４】
本体ユニットｇ３は、図２に示すように、制御部１、記憶部２、操作部３、表示部４、通信部５、自動原稿搬送部６１、スキャナー部６、画像処理装置７、画像形成部８、読取部９、転がり部材駆動部３００、矯正部１０を備えて構成されている。
【００２５】
制御部１は、ＣＰＵ、ＲＡＭ等を備えている。制御部１は、記憶部２に記憶されているプログラムを読み出し、当該プログラムに従って画像形成装置Ｇの各部を制御する。
例えば、制御部１は、ジョブの設定に従い、給紙ユニットｇ２又は給紙トレイｇ３１により用紙を給紙させる。また、制御部１は、画像処理装置７により画像データを補正及び画像処理させて、画像形成部８により画像を形成させる。ジョブの設定に後処理の設定が含まれる場合、制御部１は後処理装置ｇ４に指示して後処理させる。
【００２６】
記憶部２は、制御部１が読み取り可能なプログラム、ファイル等を記憶している。記憶部２としては、例えばハードディスク、ＲＯＭ（Read Only Memory）等の記憶媒体を用いることができる。
また、記憶部２は、画質調整用の基準画像を記憶している。
【００２７】
操作部３は、操作キーや表示部４と一体に構成されたタッチパネル等を備え、これらの操作に応じた操作信号を制御部１に出力する。ユーザーは、操作部３により、ジョブの設定、処理内容の変更等の指示を入力することができる。
表示部４は、ＬＣＤ（Liquid Crystal Display）等であることができ、制御部１の指示に従って操作画面等を表示する。
通信部５は、制御部１からの指示に従い、ネットワーク上のコンピューター、例えばサーバー又は他の画像形成装置と通信する。
【００２８】
自動原稿搬送部６１は、原稿用紙Ｄを載置する載置トレイや原稿用紙Ｄを搬送する機構及び搬送ローラー等を備えて構成され、原稿用紙Ｄを所定の搬送経路に搬送する。
スキャナー部６は、光源や反射鏡等の光学系を備えて構成され、所定の搬送経路を搬送された原稿用紙Ｄ又はプラテンガラスに載置された原稿用紙Ｄの画像を読み取って、Ｒ（赤）、Ｇ（緑）及びＢ（青）の色ごとの画像データを生成し、画像処理装置７に出力する。
【００２９】
画像処理装置７は、スキャナー部６又はプリントコントローラーｇ１から入力された画像データを補正し、画像処理を施して、画像形成部８に出力する。
画像処理装置７は、図２に示すように、色変換部７１、階調補正部７２及び中間調処理部７３を備えている。
【００３０】
色変換部７１は、スキャナー部６から出力されたＲ、Ｇ及びＢの各色の画像データを色変換処理し、Ｃ、Ｍ、Ｙ及びＫの各色の画像データを出力する。
色変換部７１は、色補正のため、プリントコントローラーｇ１から出力されたＣ、Ｍ、Ｙ及びＫの各色の画像データを色変換処理し、色補正されたＣ、Ｍ、Ｙ及びＫの各色の画像データを出力することもできる。
色変換部７１は、色変換処理時、Ｒ、Ｇ及びＢの各色の階調値に対して、色変換後のＣ、Ｍ、Ｙ及びＫの各色の階調値が定められたＬＵＴを用いる。色変換部７１は、色補正時、Ｃ、Ｍ、Ｙ及びＫの各色の階調値に対して、色補正後のＣ、Ｍ、Ｙ及びＫの階調値が定められたＬＵＴを用いる。
【００３１】
階調補正部７２は、色変換部７１又はプリントコントローラーｇ１から出力された画像データの階調を補正する。
階調補正部７２は、階調の補正時、画像の階調特性が目標の階調特性に一致するように、各階調値に対応する補正値が定められたＬＵＴを用いる。階調補正部７２は、階調補正用のＬＵＴから、画像データの各画素の階調値に対応する補正値を得て、補正値からなる画像データを出力する。
【００３２】
中間調処理部７３は、階調補正部７２から出力された画像データを中間調処理する。中間調処理は、例えばディザマトリクスを用いたスクリーン処理、誤差拡散処理等である。
中間調処理部７３は、中間調処理後の画像データを画像形成部８に出力する。
【００３３】
画像形成部８は、画像処理装置７から出力された画像データに基づき、用紙上に画像を形成する。
画像形成部８は、図１に示すように、Ｃ、Ｍ、Ｙ及びＫの色ごとに、露光部８１、感光体８２及び現像部８３を、４セット備えている。また、画像形成部８は、中間転写ベルト８４、２次転写ローラー８５、定着装置８６及び反転機構８７を備えている。
【００３４】
露光部８１は、発光素子としてＬＤ（Laser Diode）を備えている。露光部８１は、画像データに基づいてＬＤを駆動し、帯電する感光体８２上にレーザー光を照射して露光する。現像部８３は、帯電する現像ローラーにより感光体８２上にトナーを供給し、露光により感光体８２上に形成された静電潜像を現像する。
このようにして４つの感光体８２上に各色のトナーで形成された画像は、各感光体８２から中間転写ベルト８４上に順次重ねて転写される。これにより、中間転写ベルト８４上にカラー画像が形成される。中間転写ベルト８４は、複数のローラーに巻き回された無端ベルトであり、各ローラーの回転に従って回転する。
【００３５】
２次転写ローラー８５は、中間転写ベルト８４上のカラー画像を、給紙ユニットｇ２又は給紙トレイｇ３１から給紙された用紙上に転写する。定着装置８６は、転写後の用紙を加熱及び加圧して定着処理する。
【００３６】
画像形成部８は、用紙の両面に画像を形成する場合、反転機構８７により用紙の表裏を反転させ、もう一方の片面に対して画像を形成する。反転機構８７は、通過する用紙の表裏を反転させて２次転写ローラー８５による転写位置へと再度用紙を搬送する搬送経路を有している。
【００３７】
読取部９は、図１及び図３に示すように、読取部９よりも搬送方向上流側に設けられた上流搬送経路Ｒ１から搬送された用紙上に形成された画像の読み取りを行う。読取部９により画像の読み取りが行われた用紙は、読取部９よりも搬送方向下流側に設けられた下流搬送経路Ｒ２から後処理装置ｇ４へと搬送される。読取部９で画像の読み取りが行われる際、搬送経路上に設けられた複数の搬送ローラー（上流側搬送ローラー８８ａ、下流側搬送ローラー８８ｂ等）により、用紙が所定の速度で読取位置Ｌを通過するように用紙搬送が行われる。
読取部９は、所定の読取位置Ｌで用紙上に形成された画像の読み取りを行う光学式センサーとしてのＣＣＤ（Charge Coupled Device）９１と、読取位置Ｌの像をＣＣＤ９１に導くための光学系９２と、読取位置Ｌを照らすＬＥＤ（Light Emitting Diode）光源９３と、等を備えている。
【００３８】
光学系９２は、複数のミラーと、複数のレンズと、を備えて構成されている。
ＣＣＤ９１は、用紙の幅方向（Ｙ方向）における全幅の範囲を読み取り可能なカラーラインセンサーである。
読取部９は、上記の構成を備えることにより、読取位置Ｌを通過する用紙の全幅に亘って用紙上に形成された画像を順次読み取り可能となっている。
【００３９】
また、読取部９の読取部搬送経路Ｒ３の下方には、校正部９４が設けられている。
校正部９４は、画像の読み取りの際に行うシェーディング補正の補正値を決定するための白基準板を備えている。白基準板は、読取位置Ｌに設けられ、用紙の非通過時（例えば、用紙と用紙の合間等）に間隔を空けてＣＣＤ９１による読み取りが行われる。
【００４０】
また、読取部９の読取部搬送経路Ｒ３の下面側、即ち、読取部搬送経路Ｒ３のＣＣＤ９１が設けられていない面側には、図３及び図４に示すように、読取位置Ｌを挟んで搬送方向上流側であって上流側搬送ローラー８８ａの下流側に２つの上流コロ（上流回転部材）１０１、１０１が、搬送方向下流側であって下流側搬送ローラー８８ｂの上流側に１つの下流コロ（下流回転部材）１０２が、それぞれ設けられている。なお、図４において、説明の都合上、読取部搬送経路Ｒ３を構成するガイド板等の記載を省略している。
上流コロ１０１、１０１は、それぞれ搬送方向と直交する回転軸１０１ａに挿通され、回転軸１０１ａを中心として回転可能となっている。下流コロ１０２は、搬送方向と直交する回転軸１０２ａに挿通され、回転軸１０２ａを中心として回転可能となっている。
また、上流コロ１０１、１０１と下流コロ１０２とは、主走査方向（Ｙ方向）の位相が全て異なるように配置されている。本実施形態では、下流コロ１０２が、上流コロ１０１、１０１の間に配置されている。
なお、下流コロ１０２は、上流コロ１０１、１０１の中間の位相に配置されることが最も好ましい。下流コロ１０２を上流コロ１０１、１０１の中間の位相に配置することで、下流コロ１０２及び上流コロ１０１、１０１で形成される三角面のバランスが最も向上し、用紙を安定して保持することができる。
本発明の画像読取装置は、少なくとも読取部９と、複数の上流コロ１０１、１０１と、下流コロ１０２と、を備えて構成される。
【００４１】
また、読取部９の読取部搬送経路Ｒ３の上面側には、図３に示すように、上流コロ１０１、１０１及び下流コロ１０２と対向する位置に、押圧部材２０１、…が設けられている。
押圧部材２０１、…は、押圧部材保持部２０３を介して読取部９の下面側に取り付けられ、読取部搬送経路Ｒ３上を搬送される用紙を下方に押圧することができるようになっている。
【００４２】
押圧部材保持部２０３には、図５及び図６に示すように、押圧部材２０１、…の形状に合わせて溝２０３ａ、…が形成され、この溝２０３ａ、…に押圧部材２０１、…が収容されている。具体的には、押圧部材保持部２０３には、上流コロ１０１、１０１と対向する位置に３つの溝２０３ａ、…がＹ方向に直列に設けられ、下流コロ１０２と対向する位置に３つの溝２０３ａ、…がＹ方向に直列に設けられ、これら計６つの溝２０３ａ、…の各々に押圧部材２０１、…が収容されている。押圧部材２０１、…の各々は、搬送方向と直交する回転軸２０１ａに挿通され、回転軸２０１ａを中心として回転可能となっている。
【００４３】
溝２０３ａ、…のＹ方向の両端には、押圧部材２０１、…の回転軸２０１ａと係合する係合溝２０３ｂが形成されている。係合溝２０３ｂは、溝２０３ａ、…とは異なり、押圧部材保持部２０３の下面まで貫通されない長穴形状に形成され、その下面において回転軸２０１ａを支持している。押圧部材保持部２０３は、上記の構成を備えることで、押圧部材２０１、…を所定の高さに保持することができるようになっている。押圧部材２０１、…は、通常時、自重により最も下方に配置され、押圧部材保持部２０３の下面よりも下方に突出して、下方に配置された上流コロ１０１、１０１及び下流コロ１０２と接触するようになっている。
また、係合溝２０３ｂ及び溝２０３ａ、…は、いずれも押圧部材２０１、…のＺ方向の高さよりも深く形成され、押圧部材２０１、…に対しての上方への押圧力により押圧部材２０１、…を回転軸２０１ａごと上方（図中Ｚ１方向）に移動可能になっている。
即ち、押圧部材２０１、…は、上流コロ１０１、１０１又は下流コロ１０２との間を用紙が通過する際に、わずかに上方に持ち上げられる。
【００４４】
また、上流搬送経路Ｒ１、読取部搬送経路Ｒ３及び下流搬送経路Ｒ２は、それぞれ異なる搬送角度となるように設けられている。具体的には、上流搬送経路Ｒ１は、搬送方向に対して下方に傾斜して設けられ、読取部搬送経路Ｒ３に搬送される用紙に対して下方への押圧力を加えることができるようになっている。読取部搬送経路Ｒ３は、水平方向に設けられている。下流搬送経路Ｒ２は、搬送方向に対して上方に傾斜して設けられ、読取部搬送経路Ｒ３から搬送される用紙に対して上方への押圧力を加えることができるようになっている。
【００４５】
転がり部材駆動部３００は、読取部９と下流側搬送ローラー８８ｂとの間に配置され、搬送方向と直交する回転軸を中心として回転する転がり部材３０１と、転がり部材３０１をＸ方向に移動させるＸ方向移動制御モーター（図示省略）と、転がり部材３０１をＺ方向に移動させるＺ方向移動制御モーター（図示省略）と、等を備えて構成されている。
制御部１は、転がり部材駆動部３００のＸ方向移動制御モーター及びＺ方向移動制御モーターを制御して、転がり部材３０１をＺ方向に上下動させたり、Ｘ方向及びＺ方向の合成方向、例えば、図３中の左下方や右下方等に移動させたりする。上記のように転がり部材３０１を移動させることで、用紙のカールを調整して下流側搬送ローラー８８ｂへの突入姿勢を改善することができるので、搬送中の用紙の速度変動を低減して、読み取り画像への悪影響を抑制することができる。
【００４６】
矯正部１０は、定着処理された用紙の変形を矯正し、用紙面を平面化する。ここで、用紙は定着処理によって変形しやすく、基準画像の読取時に用紙を平面化する必要がある。従って、矯正部１０は、図１に示すように、用紙の搬送方向において定着装置８６と読取部９の間に配置されている。
【００４７】
以上のように、本実施形態に係る画像形成装置Ｇの画像読取装置において、読取部９の読取位置よりも搬送方向上流側であって上流側搬送ローラー８８ａよりも下流側には、用紙に接して搬送方向と直交する軸回りに回転する複数の上流回転部材（上流コロ１０１）が設けられ、読取部９の読取位置よりも搬送方向下流側であって下流側搬送ローラー８８ｂよりも上流側には、用紙に接して搬送方向と直交する軸回りに回転する下流回転部材（下流コロ１０２）が設けられ、上流回転部材及び下流回転部材は、用紙の搬送経路（読取部搬送経路Ｒ３）の一方の面側に設けられ、下流回転部材の個数は、上流回転部材の個数以下である。
従って、本実施形態に係る画像読取装置によれば、用紙を一方の面に押し付けているため、読取時の高さ変動を抑制することができるとともに、読取部搬送経路Ｒ３の用紙が押し付けられる面側に上流回転部材及び下流回転部材が設けられているので、用紙が上流回転部材及び下流回転部材と接触することで用紙と用紙が押し付けられる面との接触を回避することができることとなって、スクラッチ傷の発生を抑制することができる。また、上流回転部材が複数個、下流側回転部材が上流回転部材の個数以下備えられているので、用紙を３点以上で面保持することができることとなって、安定して読取部９による読取動作を行うことができる。
【００４８】
また、本実施形態に係る画像読取装置において、上流回転部材及び下流回転部材は、用紙の搬送経路の読取部９が設けられていない面側に設けられている。
従って、本実施形態に係る画像読取装置によれば、読取部９が設けられている面に用紙が押し付けられることがないので、読取部９における読取時の振動の発生を抑制することができる。
【００４９】
また、本実施形態に係る画像読取装置において、下流回転部材の個数を上流回転部材の個数よりも少なくすることで、同一数とした場合に比べて、用紙が下流回転部材に接触する際の突入振動を抑制することができ、読み取り画像への悪影響を更に抑制することができる。
特に、本実施形態に係る画像読取装置において、上流回転部材は、２つ設けられ、下流回転部材は、１つ設けられている。
従って、本実施形態に係る画像読取装置によれば、コロの数を最小限にすることができるので、コストを削減することができる。また、下流コロの数を最小にすることができるので、搬送方向下流側への突入振動を抑制することができ、読み取り画像への悪影響を最小限に抑制することができる。
【００５０】
また、本実施形態に係る画像読取装置において、上流回転部材及び下流回転部材は、用紙の主走査方向の位相が全て異なる。
従って、本実施形態に係る画像読取装置によれば、用紙を支えるコロの配置バランスが向上するので、用紙を安定して保持することができる。
【００５１】
また、本実施形態に係る画像読取装置において、下流回転部材は、上流回転部材のうち主走査方向の両端に配置された上流回転部材の間に配置される。
従って、本実施形態に係る画像読取装置によれば、用紙を支えるコロの配置バランスがより向上するので、用紙を更に安定して保持することができる。
【００５２】
また、本実施形態に係る画像読取装置には、用紙の搬送経路の読取部９が設けられている面側であって、複数の上流回転部材及び下流回転部材と対向する位置に、搬送方向と直交する軸回りに回転可能な押圧部材２０１、…が設けられている。
従って、本実施形態に係る画像読取装置によれば、読取部搬送経路Ｒ３上を搬送される用紙を下方に押圧することができるので、薄紙やカール紙などの高さが安定しない用紙を搬送する場合でも、用紙の浮きに伴う高さ変動を抑制することができる。
【００５３】
また、本実施形態に係る画像読取装置において、読取部９よりも搬送方向上流側の搬送経路（上流搬送経路Ｒ１）は、読取部９の搬送経路（読取部搬送経路Ｒ３）と異なる搬送角度となるように設けられている。
従って、本実施形態に係る画像読取装置によれば、読取部搬送経路Ｒ３を搬送される用紙に上流搬送経路Ｒ１の傾斜による付勢力が加わるので、用紙の浮きに伴う高さ変動を抑制することができる。
【００５４】
以上、本発明に係る実施形態に基づいて具体的に説明したが、本発明は上記実施形態に限定されるものではなく、その要旨を逸脱しない範囲で変更可能である。
【００５５】
（変形例１）
例えば、図７に示す例では、実施形態と比べ、上流コロ及び下流コロの個数が異なっている。なお、説明の簡略化のため、実施形態と同様の構成については、同一の符号を付して、その詳細な説明を省略する。
具体的には、変形例１では、読取部９の読取部搬送経路Ｒ３の下面側に、図７に示すように、読取位置Ｌを挟んで上流側に４つの上流コロ１０３、１０３、１０３、１０３が、下流側に３つの下流コロ１０４、１０４、１０４が、それぞれ設けられている。
上流コロ１０３、１０３、１０３、１０３は、それぞれ回転軸１０３ａに挿通され、回転軸１０３ａを中心として搬送方向に回転可能となっている。下流コロ１０４、１０４、１０４は、それぞれ回転軸１０４ａに挿通され、回転軸１０４ａを中心として搬送方向に回転可能となっている。
また、上流コロ１０３、１０３、１０３、１０３と下流コロ１０４、１０４、１０４とは、Ｙ方向の位相が全て異なるように配置されている。本実施形態では、上流コロ１０３、１０３、１０３、１０３と下流コロ１０４、１０４、１０４とが、Ｙ方向において交互に配置されている。
なお、下流コロ１０４、１０４、１０４の各々は、Ｙ方向において隣接する２つの上流コロ１０３、１０３、１０３、１０３の中間の位相に配置されることが最も好ましい。
【００５６】
変形例１では、４つの上流コロ１０３、１０３、１０３、１０３及び３つの下流コロ１０４、１０４、１０４を設ける構成を例示して説明しているが、これに限定されるものではない。即ち、下流コロの数が少なくとも２つ以上で且つ上流コロの数以下であればいかなる構成であってもよく、例えば、２つの上流コロ及び２つの下流コロを設ける構成であってもよい。
【００５７】
以上のように、変形例１に係る画像形成装置Ｇの画像読取装置において、下流回転部材（下流コロ１０４、１０４、１０４）は、複数設けられている。
従って、変形例１に係る画像読取装置によれば、コロにより形成される三角面の数を増やすことができるので、カール紙などの平面性が低い用紙を搬送する場合でも、安定して保持することができる。
【００５８】
（その他の変形例）
例えば、上記実施形態では、読取部９の読取部搬送経路Ｒ３の上面側に押圧部材２０１、…を設ける構成を例示しているが、これに限定されるものではない。即ち、押圧部材２０１、…を設けない構成とすることも可能である。
【００５９】
また、上記実施形態では、上流搬送経路Ｒ１を搬送方向に対して下方に傾斜して配置することで、水平方向に配置された読取部搬送経路Ｒ３と異なる搬送角度となるようにしているが、これに限定されるものではない。例えば、上流搬送経路Ｒ１を水平方向に配置して、読取部搬送経路Ｒ３と同一の搬送角度となるようにしてもよい。
また、上流搬送経路Ｒ１を搬送方向に対して上方に傾斜して配置するようにしてもよい。この場合、読取部９や押圧部材２０１、…を読取部搬送経路Ｒ３の下面側に設けるようにし、校正部９４や上流コロ１０１、１０１及び下流コロ１０２を読取部搬送経路Ｒ３の上面側に設けるようにするとよい。
【００６０】
また、上記実施形態では、上流コロ１０１、１０１と下流コロ１０２とのＹ方向の位相を全て異なるように配置しているが、これに限定されるものではない。即ち、上流コロ１０１、１０１と下流コロ１０２とのＹ方向の位相が同一となるように配置することも可能である。
また、上記実施形態では、下流コロ１０２を上流コロ１０１、１０１の間、即ち、上流コロ１０１、１０１よりも内側に配置するようにしているが、これに限定されるものではない。即ち、下流コロ１０２を上流コロ１０１、１０１の外側に配置するようにしてもよい。
【００６１】
また、上記実施形態では、上流コロ１０１、１０１と対向する位置に３つの押圧部材２０１、…をＹ方向に直列に設けるようにするとともに、下流コロ１０２と対向する位置に３つの押圧部材２０１、…をＹ方向に直列に設けるようにしているが、これに限定されるものではない。即ち、３つの押圧部材２０１、…の代わりに、１つの長い押圧部材を設けるようにしてもよい。また、各コロ（上流コロ１０１、１０１及び下流コロ１０２）と対向する位置に、各コロの形状と一致する形状の押圧部材をそれぞれ設けるようにしてもよい。
【００６２】
また、上記実施形態では、読取部９に対して、上流コロ１０１、１０１及び下流コロ１０２を配置するようにしているが、これに限定されるものではない。例えば、自動原稿搬送部６１に設けられた読取部としてのスキャナー部６に対して、上流コロ及び下流コロを配置するようにしてもよい。この場合、スキャナー部６は、搬送経路の下面側に設けられているので、上流コロ及び下流コロをスキャナー部６と対向する搬送経路の上面側に設けるようにするとよい。
【００６３】
その他、画像読取装置及び画像形成装置を構成する各装置の細部構成及び各装置の細部動作に関しても、本発明の趣旨を逸脱することのない範囲で適宜変更可能である。
【符号の説明】
【００６４】
Ｇ  画像形成装置
１  制御部
２  記憶部
６１  自動原稿搬送部
６  スキャナー部（読取部）
８  画像形成部
８６  定着装置
８８ａ  上流側搬送ローラー
８８ｂ  下流側搬送ローラー
９  読取部
１０  矯正部
１０１  上流コロ（上流回転部材）
１０２  下流コロ（下流回転部材）
２０１  押圧部材
２０３  押圧部材保持部
Ｒ１  上流搬送経路
Ｒ２  下流搬送経路
Ｒ３  読取部搬送経路
【図１】
2015211315.tif 000003
【図２】
2015211315.tif 000004
【図３】
2015211315.tif 000005
【図４】
2015211315.tif 000006
【図５】
2015211315.tif 000007
【図６】
2015211315.tif 000008
【図７】
2015211315.tif 000009